(57)【要約】【課題】  水滴の浸入を防いで腐食、抵抗値の上昇、及び接続の不安定化を抑制できる防滴コネクタ及びその接続構造を提供する。【解決手段】  防滴コネクタを、樹脂製のハウジング１と、ハウジング１に内蔵されてその表裏両面から両端部がそれぞれ露出する複数の導電ピン１０と、複数の導電ピン１０の少なくともハウジング１の表面から露出する露出部を被覆する弾性変形可能な防滴カバー２０と、防滴カバー２０に着脱自在に嵌合される抑え枠体３０とから構成する。そして、防滴コネクタを、経肺投薬装置の回路基板４０と交換可能なカートリッジ５０の電極間に挟持させてこれらを電気的に導通接続する。防滴カバー２０が導電ピン１０の露出部を覆い、導電ピン１０の胴体ピン１１と可動ピン１２の間に水滴が浸入するのを抑制防止するので、導電ピン１０の腐食、抵抗値の上昇、及び接続の不安定化を招くおそれがない。【選択図】  図６
2007173073.tif 000002
【特許請求の範囲】
【請求項１】
ハウジングに内蔵されてその両面から両端部が露出する導電ピンと、この導電ピンの少なくともハウジングから露出する露出部を被覆する防滴カバーとを備えた防滴コネクタであって、
導電ピンは、ハウジングに内蔵される導電性で中空の胴体ピンと、この胴体ピンに往復動可能に挿入されて先端部がハウジングから突出する導電性の可動ピンと、これら胴体ピンと可動ピンとの間に介在されて可動ピンを胴体ピンから離れる方向に勢い付かせる導電性のばね部材とを含み、
防滴カバーを弾性変形可能な断面略Ｕ字形に形成したことを特徴とする防滴コネクタ。
【請求項２】
導電ピンの胴体ピンと可動ピンとの対向面のいずれか一方を、可動ピンの往復動方向に対して傾斜させ、可動ピンの先端部先端面を略平坦面あるいは断面略半円弧形に形成した請求項１記載の防滴コネクタ。
【請求項３】
導電ピンの可動ピンの周面に、防滴カバーの平坦部と嵌まり合う嵌合溝を形成した請求項１又は２記載の防滴コネクタ。
【請求項４】
可動ピンの先端部に、導電エラストマーと導電細線のいずれかを取り付けて防滴カバーの平坦部から露出させるようにした請求項１又は２記載の防滴コネクタ。
【請求項５】
防滴カバーに、荷重を支持するエラストマーを内蔵した請求項１ないし４いずれかに記載の防滴コネクタ。
【請求項６】
防滴カバーの自由端部に、ハウジングに接触するフランジを形成した請求項１ないし５いずれかに記載の防滴コネクタ。
【請求項７】
ハウジングの周面に被係止部を形成し、防滴カバーのフランジに、ハウジングの被係止部に係わり合う係止部を形成した請求項６記載の防滴コネクタ。
【請求項８】
防滴カバーに着脱自在に嵌められ、防滴カバーのフランジに支持される抑え中空体を含んでなる請求項６又は７記載の防滴コネクタ。
【請求項９】
防滴カバーのフランジと抑え中空体の対向面のいずれか一方に凹部を、他方には凹部と嵌まり合う凸部をそれぞれ形成した請求項８記載の防滴コネクタ。
【請求項１０】
対向する複数の電気接合物の電極間に、請求項１ないし９いずれかに記載の防滴コネクタを介在して導通するようにしたことを特徴とする防滴コネクタの接続構造。
【発明の詳細な説明】
【技術分野】
【０００１】
本発明は、例えば経肺投薬装置の回路基板とカートリッジとを電気的に接続する防滴コネクタ及びその接続構造に関するものである。
【背景技術】
【０００２】
従来、電子機器の回路基板と電気接合物との電気的な導通接続には、圧接型コネクタが使用されているが、この種の圧接型コネクタは、図示しない樹脂製のハウジングと、このハウジングに内蔵されてその両面から両端部がそれぞれ露出する複数の導電ピンとを備え、携帯電話等からなる電子機器の回路基板と電気接合物の電極間に介在されてこれらを電気的に導通接続する。
【０００３】
各導電ピンは、ハウジングに内蔵される中空の胴体ピンと、この胴体ピンに往復動可能に挿入されて先端部がハウジングから突出する可動ピンと、これら胴体ピンと可動ピンとの間に介在されて可動ピンを胴体ピンから離隔する方向に弾圧付勢するコイルばねとを備えて構成されている（特許文献１参照）。
【０００４】
ところで近年、痛みを伴う注射の代わりに霧状の薬剤を口から吸い込むことにより、肺から全身に投薬する経肺投薬装置が注目を集めている（特許文献２参照）が、この経肺投薬装置の回路基板と交換可能な薬剤のカートリッジとの導通接続に従来の圧接型コネクタを使用することができれば、軽量化や小型化を図ることができ、実に有益である。
【特許文献１】特開２００２‐１００４３１号公報
【特許文献２】特開２００４‐３５０９７１号公報
【発明の開示】
【発明が解決しようとする課題】
【０００５】
しかしながら、従来における圧接型コネクタは、薬剤等の水滴の付着を前提とすることなく構成されているので、経肺投薬装置の回路基板とカートリッジとの導通接続にそのまま使用される場合には、導電ピンの胴体ピンと可動ピンとの間に水滴が浸入し、腐食、抵抗値の上昇、及び接続の不安定化を招くという大きな問題がある。
【０００６】
本発明は上記に鑑みなされたもので、水滴の浸入を防いで腐食、抵抗値の上昇、及び接続の不安定化等を抑制することのできる防滴コネクタ及びその接続構造を提供することを目的としている。
【課題を解決するための手段】
【０００７】
本発明においては上記課題を解決するため、ハウジングに内蔵されてその両面から両端部が露出する導電ピンと、この導電ピンの少なくともハウジングから露出する露出部を被覆する防滴カバーとを備えたものであって、
導電ピンは、ハウジングに内蔵される導電性で中空の胴体ピンと、この胴体ピンに往復動可能に挿入されて先端部がハウジングから突出する導電性の可動ピンと、これら胴体ピンと可動ピンとの間に介在されて可動ピンを胴体ピンから離れる方向に勢い付かせる導電性のばね部材とを含み、
防滴カバーを弾性変形可能な断面略Ｕ字形に形成したことを特徴としている。
【０００８】
なお、導電ピンの胴体ピンと可動ピンとの対向面のいずれか一方を、可動ピンの往復動方向に対して傾斜させ、可動ピンの先端部先端面を略平坦面あるいは断面略半円弧形に形成することができる。
また、導電ピンの可動ピンの周面に、防滴カバーの平坦部と嵌まり合う嵌合溝を形成することが好ましい。
【０００９】
また、可動ピンの先端部に、導電エラストマーと導電細線のいずれかを取り付けて防滴カバーの平坦部から露出させることができる。
また、防滴カバーに、荷重を支持するエラストマーを内蔵することができる。
また、防滴カバーの自由端部に、ハウジングに接触するフランジを形成することができる。
【００１０】
また、ハウジングの周面に被係止部を形成し、防滴カバーのフランジに、ハウジングの被係止部に係わり合う係止部を形成することも可能である。
また、防滴カバーに着脱自在に嵌められ、防滴カバーのフランジに支持される抑え中空体を含むと良い。
また、防滴カバーのフランジと抑え中空体の対向面のいずれか一方に凹部を、他方には凹部と嵌まり合う凸部をそれぞれ形成することも可能である。
【００１１】
さらに、本発明においては上記課題を解決するため、対向する複数の電気接合物の電極間に、請求項１ないし９いずれかに記載の防滴コネクタを介在して導通するようにしたことを特徴としている。
【００１２】
ここで、特許請求の範囲におけるハウジング、導電ピン、防滴カバーは、単数複数を特に問うものではない。ハウジングは、板形、ブロック形、筒形等を特に問うものではない。また、防滴カバーは、弾性変形可能なエラストマーやシートを使用して断面Ｕ字形、あるいはこれに類似するキャップ形、有底筒形等に形成することができる。導電ピンの胴体ピンは、中空の有底筒形でも良いし、中空の凸字形等でも良い。また、可動ピンは、防滴カバーの平坦部を貫通していても良いし、そうでなくても良い。
【００１３】
抑え中空体は、リング形や枠形等に形成することができる。また、電気接合物には、少なくともプリント回路板、フレキシブル基板、医療用の部品、液晶部品、音響部品、小型モータ、通信部品等が含まれる。さらに、防滴コネクタは、経肺投薬装置の回路基板と薬剤のカートリッジとの電気的な接続に使用されるのが主ではあるが、これに限定されるものではない。例えば、カメラ、携帯電話、玩具の電気接合物同士の接続や水滴の付着が殆ど考えられない電気接合物同士の接続に使用しても良い。
【００１４】
本発明によれば、複数の電気接合物を電気的に接続する場合には、電気接合物の電極に防滴コネクタの導電ピンの胴体ピンを接続し、導電ピンの可動ピンと他の電気接合物の電極とを接触させれば、複数の電気接合物を接続することができる。
この際、防滴コネクタの可動ピンが他の電気接合物との接触に応じて往復動するが、これに伴い防滴カバーが変形する。また、この防水機能を有する防滴カバーが少なくとも導電ピンの胴体ピンと可動ピンとの間に液体が浸入するのを抑制する。
【発明の効果】
【００１５】
本発明によれば、水滴の浸入を防いで腐食、抵抗値の上昇、及び接続の不安定化等を抑制することができるという効果がある。
また、導電ピンの可動ピンの周面に、防滴カバーの平坦部と嵌まり合う嵌合溝を形成すれば、可動ピンが防滴カバーを貫通して突出する場合、可動ピンと防滴カバーとの間が流体の浸入路になるのを抑制することができる。
また、防滴カバーの自由端部に、ハウジングに接触するフランジを形成すれば、接触面積の増加により、ハウジング上の防滴カバーが傾いてその姿勢が悪化するのを防ぐことができる。
【００１６】
また、抑え中空体により防滴カバーのフランジを抑えるようにすれば、ハウジングと防滴カバーとの間の隙間から液体や水滴が浸入するのを抑制することが可能になる。
さらに、防滴カバーのフランジと抑え中空体の対向面のいずれか一方に凹部を、他方には凹部と嵌まり合う凸部をそれぞれ形成すれば、凸部と凹部とにより、抑え中空体の荷重を低減して電気接合物がダメージを蒙るのを抑制することが可能になる。さらにまた、凸部と凹部の噛み合いにより、シール機能を得ることができるという効果がある。
【発明を実施するための最良の形態】
【００１７】
以下、図面を参照して本発明の好ましい実施の形態を説明すると、本実施形態における防滴コネクタは、図１ないし図６に示すように、樹脂製のハウジング１と、このハウジング１に内蔵されてその表裏両面から両端部がそれぞれ露出する複数の導電ピン１０と、この複数の導電ピン１０の少なくともハウジング１の表面から露出する露出部を被覆する弾性変形可能な防滴カバー２０と、この防滴カバー２０に嵌合される抑え枠体３０とを備え、経肺投薬装置の回路基板４０と交換可能な薬剤のカートリッジ５０の電極間に挟持されてこれらを電気的に導通接続するよう機能する。
【００１８】
ハウジング１は、図１ないし図６に示すように、所定の樹脂を使用して基本的には平面略長方形の平坦な板に成形され、長手方向に複数の貫通した取付孔２が間隔をおき一列に穿孔されており、各取付孔２の表面周縁部には、案内機能や補強機能を発揮するボス３が一体形成される。
【００１９】
このハウジング１の所定の樹脂としては、耐熱性、寸法安定性、成形性に優れる汎用のエンジニアリングプラスチック、具体的には、ポリフェニレンサルファイド、液晶ポリマー、ポリアミド９Ｔ、変性ポリアミド６Ｔ、ポリプロピレン、ポリカーボネート等があげられる。これらの中でも、耐衝撃性、耐水性、耐酸性に優れるポリフェニレンサルファイドが最適である。
【００２０】
各導電ピン１０は、図５や図６に示すように、ハウジング１の取付孔２内に圧入して嵌着固定される中空の胴体ピン１１と、この胴体ピン１１内に往復動可能に挿入される可動ピン１２と、これら胴体ピン１１の内底面と可動ピン１２の底面との間に介在されるコイルばね１７とを備えて構成される。
【００２１】
この導電ピン１０の胴体ピン１１と可動ピン１２は、ニッケルメッキや金メッキ処理された導電性の材料、例えば銅、真鍮、アルミニウム等を使用して製造される。また、コイルばね１７は、リン青銅、ベリリウム銅、ばね鋼、ピアノ線材等の金属線、あるいはこれらの金属線にニッケルメッキや金メッキ処理を施した金属細線を使用して製造される。
【００２２】
胴体ピン１１は、断面略Ｕ字形を呈した有底円筒形に形成され、端部である平坦な底部がハウジング１の裏面に揃えられて露出しており、この底部が回路基板４０上の電極にはんだを介して導通接続される。
【００２３】
可動ピン１２は、胴体ピン１１の内周面にスライド可能に摺接する円板部１３と、この円板部１３から起立した円柱形のピン部１４とを備えた中実の凸字形に形成され、円板部１３よりも小径のピン部１４がボス３を貫通してハウジング１の表面から上方に貫通突出し、このピン部１４の先端部１５が電極としてカートリッジ５０の電極に弾発的に接触する。
【００２４】
この可動ピン１２は、胴体ピン１１の平坦な内底面に対向する円板部１３の底面が往復動方向に対して１０〜３０°、好ましくは１５°程度の角度で傾斜形成され、ピン部１４の周面に防滴カバー２０に嵌合する嵌合溝１６がエンドレスに切り欠かれており、ピン部１４の先端部１５先端面が曲率の小さい断面略半円弧形に形成される。
【００２５】
コイルばね１７は、胴体ピン１１に嵌入され、可動ピン１２を胴体ピン１１から離隔する方向、換言すれば、ハウジング１の表面方向（図１の上方向）に弾圧付勢するよう機能する。
【００２６】
防滴カバー２０は、図２ないし図６に示すように、ハウジング１の表面の大部分に隙間をおいて対向し、導電ピン１０の可動ピン１２に貫通される平面略長方形の平坦部２１と、この平坦部２１の周縁部からハウジング１の表面方向、換言すれば、下方に伸びる短い立面壁２２とを備えた底の浅い横長の断面略Ｕ字形に成形され、立面壁２２の自由端部に、ハウジング１の表面周縁部に積層接着される平面枠形のフランジ２３が外方向に向け水平に形成される。
【００２７】
この防滴カバー２０は、例えば耐薬品性や耐候性等に優れるシリコーンゴム、フッ素系ゴム等からなる所定のエラストマーを使用して成形され、平坦部２１の長手方向には、可動ピン１２の嵌合溝１６にきつく密嵌する複数の貫通孔２４が間隔をおき一列に穿孔される。防滴カバー２０はシリコーンゴムにより成形される場合には、１０〜７０°Ｈｓ、好ましくは２０〜５０°Ｈｓの硬度とされ、貫通孔２４は可動ピン１２に密接するようその径よりも小径に穿孔される。
【００２８】
抑え枠体３０は、図１、図２、図６に示すように、所定の材料を使用してハウジング１の表面や防滴カバー２０よりも大きい平面略長方形の平坦な枠板に成形され、中空部が防滴カバー２０に外側から着脱自在に密嵌され、かつ防滴カバー２０の平坦なフランジ２３に水平に搭載支持されることにより、防滴カバー２０の平坦部２１表面に揃えられてハウジング１の内部に水滴が浸入するのを防止するよう機能する。
【００２９】
この抑え枠体３０の所定の材料としては、耐熱性、寸法安定性、成形性に優れる汎用のエンジニアリングプラスチック、具体的には、ＡＢＳ樹脂、ポリカーボネート、ポリプロピレン、塩化ビニル系樹脂、ポリエチレンやステンレス等があげられる。
【００３０】
上記において、経肺投薬装置の回路基板４０とカートリッジ５０とを導通接続する場合には、先ず、回路基板４０の電極に防滴コネクタの胴体ピン１１をはんだにより実装し、防滴コネクタの防滴カバー２０に抑え枠体３０を圧接して密嵌し、その後、防滴コネクタの可動ピン１２にカートリッジ５０の電極を上方から圧接すれば、回路基板４０とカートリッジ５０とを導通接続することができる。
【００３１】
この際、防滴コネクタの防滴カバー２０から突出した可動ピン１２がカートリッジ５０との接触に応じ、コイルばね１７を圧縮しつつ往復動するが、これに伴い防滴カバー２０の平坦部２１が往復動方向に追従して変形する。
【００３２】
上記によれば、防水機能を有する防滴カバー２０が複数の導電ピン１０の先端部以外の大部分を覆い、この導電ピン１０の胴体ピン１１と可動ピン１２との間に薬剤からなる水滴が浸入するのを抑制防止するので、導電ピン１０の腐食、抵抗値の上昇、及び接続の不安定化を招くおそれが全くない。また、可動ピン１２の先端部１５先端面を円弧形に形成するとともに、可動ピン１２の底面を１０〜３０°の角度で傾斜させ、この底面にコイルばね１７を圧接して胴体ピン１１の内周面と可動ピン１２の周面とを接触させるので、接触を確実化してきわめて良好な導電性や低抵抗化を得ることができる。
【００３３】
また、可動ピン１２の底面が１０°未満の角度で傾斜するのではないので、胴体ピン１１の内周面と可動ピン１２とを確実に接触させることができる。また、可動ピン１２の底面が３０°を超える角度で傾斜するのではないので、可動ピン１２のスライドに支障を来たすことがない。また、可動ピン１２の先端部１５先端面が尖っておらず、接触面積の拡大が期待できる断面略半円弧形なので、例えカートリッジ５０の電極が小さくても、非接触や位置ずれを防止することが可能になる。
【００３４】
また、可動ピン１２の嵌合溝１６と防滴カバー２０の貫通孔２４とが隙間なく密嵌するので、可動ピン１２と防滴カバー２０との間から水滴が浸入するのを有効に抑制防止することが可能になる。また、抑え枠体３０が防滴カバー２０の周囲のフランジ２３を強固に抑えることにより、ハウジング１と防滴カバー２０との間に隙間が生じるのを防ぐことができるので、ハウジング１、導電ピン１０、及び経肺投薬装置の導通部分に水滴が浸入するのを有効に抑制防止することが可能になる。
【００３５】
さらに、防滴カバー２０のフランジ２３に抑え枠体３０を水平に搭載支持させるので、抑え枠体３０の姿勢の安定化が大いに期待できる。さらにまた、防滴カバー２０が弾性変形可能なエラストマー製であるから、良好なクリック感が大いに期待できる。
【００３６】
次に、図７は本発明の第２の実施形態を示すもので、この場合には、導電ピン１０の可動ピン１２を防滴カバー２０の平坦部２１よりも低く短く形成して平坦な先端部１５先端面には電極として機能する円板形の導電エラストマー１８を接着し、この導電エラストマー１８を防滴カバー２０の貫通孔２４に嵌着して防滴カバー２０の平坦部２１表面から露出させるようにしている。その他の部分については、上記実施形態と同様であるので説明を省略する。
【００３７】
本実施形態においても上記実施形態と同様の作用効果が期待でき、しかも、導電ピン１０や防滴カバー２０の構成の多様化を図ったり、可動ピン１２の周面から嵌合溝１６を省略して構成の簡素化を図ることができるのは明らかである。
【００３８】
次に、図８は本発明の第３の実施形態を示すもので、この場合には、ハウジング１の全周面に平面略枠形の被係止部４を突出形成し、防滴カバー２０のフランジ２３に、下方に伸びてハウジング１の被係止部４に着脱自在に嵌合係止する断面略Ｌ字形の係止部２５を屈曲可能に一体形成するようにしている。その他の部分については、上記実施形態と同様であるので説明を省略する。
【００３９】
本実施形態においても上記実施形態と同様の作用効果が期待でき、しかも、相対向する被係止部４と係止部２５との係止により、防滴カバー２０の内部に水滴が浸入するのをさらに有効に抑制防止することができるのは明らかである。
【００４０】
次に、図９は本発明の第４の実施形態を示すもので、この場合には、ハウジング１の表面に大きな単一の防滴カバー２０を装着するのではなく、複数の防滴カバー２０Ａを横一列に並べ、各防滴カバー２０Ａに、導電ピン１０の少なくともハウジング１の表面から露出する露出部を被覆させるようにしている。
防滴カバー２０Ａは、断面略Ｕ字形を呈したキャップ形に成形され、立面壁２２の自由端部には、ハウジング１の表面に重なるフランジ２３が外向きに一体形成される。
【００４１】
この場合、抑え枠体３０は、図示しないが、ハウジング１の表面に着脱自在に搭載される板に、防滴カバー２０Ａに嵌合する複数の嵌合孔が横一列に並べて穿孔されることにより抑え中空体に形成される。その他の部分については、上記実施形態と同様であるので説明を省略する。
本実施形態においても上記実施形態と同様の作用効果が期待でき、しかも、防滴カバー２０Ａや抑え枠体３０の構成、及びアセンブリの多様化を図ることができるのは明らかである。
【００４２】
次に、図１０は本発明の第５の実施形態を示すもので、この場合には、防滴カバー２０Ａのフランジ２３表面にリブ状の凸部２６を平面枠形に突出形成し、抑え枠体３０の下面に凹部３１を平面枠形に切り欠き、これら凸部２６と凹部３１とを相互に密嵌するようにしている。その他の部分については、上記実施形態と同様であるので説明を省略する。
【００４３】
本実施形態においても上記実施形態と同様の作用効果が期待でき、しかも、防滴カバー２０のフランジ２３に抑え枠体３０を圧接する際、防滴カバー２０Ａのフランジ２３に抑え枠体３０の下面を単に接触させるのではなく、接触面積の小さい凸部２６と凹部３１とを密接させることにより、抑え枠体３０の荷重を低減、分散して回路基板４０やカートリッジ５０の電極がダメージを蒙るのを抑制することができるのは明白である。また、弾性変形可能な凸部２６と凹部３１とが相互に噛合してシールガスケットとして機能するので、防滴機能のさらなる向上が期待できる。
【００４４】
次に、図１１は本発明の第６の実施形態を示すもので、この場合には、ハウジング１を大きな板形ではなく、小さな円筒形に形成して単一の導電ピン１０を内蔵し、ハウジング１の表面に断面略Ｕ字形を呈した単一の防滴カバー２０Ａを接着してその内部には略筒形の荷重支持エラストマー２７を内蔵するようにしている。
防滴カバー２０Ａは、断面略Ｕ字形を呈したキャップ形に成形され、フランジ２３が省略される。その他の部分については、上記実施形態と同様であるので説明を省略する。
【００４５】
本実施形態においても上記実施形態と同様の作用効果が期待でき、しかも、反発力を有する荷重支持エラストマー２７により、防滴カバー２０Ａが必要以上に凹んだり、凹んだままで復帰しないのを抑制防止することができるのは明白である。また、フランジ２３や抑え枠体３０を省略して構成の簡素化や部品点数の削減を図ることができる。
【００４６】
次に、図１２、図１３は本発明の第７の実施形態を示すもので、この場合には、ハウジング１を円筒形の第一、第二のハウジング１Ａ・１Ｂに分割し、これら第一、第二のハウジング１Ａ・１Ｂに単一の導電ピン１０をそれぞれ内蔵して第一のハウジング１Ａの導電ピン１０と第二のハウジング１Ｂの導電ピン１０とを胴体ピン１１の底部を介して導通接続し、第一、第二のハウジング１Ａ・１Ｂにおける導電ピン１０の可動ピン１２を防滴カバー２０Ａによりそれぞれ被覆するようにしている。その他の部分については、上記実施形態と同様であるので説明を省略する。
【００４７】
本実施形態においても上記実施形態と同様の作用効果が期待でき、しかも、ハウジング１の構成の多様化や防滴コネクタの小型化を図ることができるのは明らかである。
【００４８】
なお、上記実施形態ではハウジング１に複数の導電ピン１０を１×３に配列したが、何らこれに限定されるものではない。例えば、複数の導電ピン１０を１×５、２×２、２×３、３×２、３×３等に配列しても良い。また、ボス３は、中空の凸字形、リング形、筒形、枠形等に適宜形成して良い。また、上記実施形態では可動ピン１２の円板部１３底面を傾斜させたが、胴体ピン１１の内底面を可動ピン１２の往復動方向に対して傾斜させても良い。
【００４９】
また、使用に支障を来たさないのであれば、コイルばね１７の代わりに板ばね等を使用することができる。さらに、可動ピン１２の先端部１５先端面にワイヤ等の金属細線を必要数接着し、この金属細線を防滴カバー２０の貫通孔２４に嵌着して防滴カバー２０の平坦部２１表面から露出させることもできる。さらにまた、荷重支持エラストマー２７を増減変更することも可能である。
【図面の簡単な説明】
【００５０】
【図１】本発明に係る防滴コネクタの実施形態を模式的に示す全体斜視説明図である。
【図２】本発明に係る防滴コネクタの実施形態を模式的に示す分解斜視図である。
【図３】本発明に係る防滴コネクタの実施形態における抑え枠体を取り外した状態を模式的に示す斜視説明図である。
【図４】図３の防滴コネクタから防滴カバーを取り外した状態を模式的に示す斜視説明図である。
【図５】本発明に係る防滴コネクタの実施形態における抑え枠体を取り外した状態を模式的に示す要部断面説明図である。
【図６】本発明に係る防滴コネクタ及びその接続構造の実施形態を模式的に示す部分断面説明図である。
【図７】本発明に係る防滴コネクタ及びその接続構造の第２の実施形態を模式的に示す部分断面説明図である。
【図８】本発明に係る防滴コネクタ及びその接続構造の第３の実施形態を模式的に示す斜視断面説明図である。
【図９】本発明に係る防滴コネクタ及びその接続構造の第４の実施形態を模式的に示す斜視説明図である。
【図１０】本発明に係る防滴コネクタ及びその接続構造の第５の実施形態を模式的に示す部分断面説明図である。
【図１１】本発明に係る防滴コネクタ及びその接続構造の第６の実施形態を模式的に示す部分断面説明図である。
【図１２】本発明に係る防滴コネクタ及びその接続構造の第７の実施形態を模式的に示す説明図である。
【図１３】本発明に係る防滴コネクタ及びその接続構造の第７の実施形態を模式的に示す分解説明図である。
【符号の説明】
【００５１】
１        ハウジング
１Ａ      第一のハウジング
１Ｂ      第二のハウジング
４        被係止部
１０      導電ピン
１１      胴体ピン
１２      可動ピン
１３      円板部
１４      ピン部
１５      先端部
１６      嵌合溝
１７      コイルばね（ばね部材）
１８      導電エラストマー
２０      防滴カバー
２０Ａ    防滴カバー
２１      平坦部
２３      フランジ
２４      貫通孔
２５      係止部
２６      凸部
２７      荷重支持エラストマー（荷重を支持するエラストマー）
３０      抑え枠体（抑え中空体）
３１      凹部
４０      回路基板（電気接合物）
５０      カートリッジ（電気接合物）
【図１】
2007173073.tif 000003
【図２】
2007173073.tif 000004
【図３】
2007173073.tif 000005
【図４】
2007173073.tif 000006
【図５】
2007173073.tif 000007
【図６】
2007173073.tif 000008
【図７】
2007173073.tif 000009
【図８】
2007173073.tif 000010
【図９】
2007173073.tif 000011
【図１０】
2007173073.tif 000012
【図１１】
2007173073.tif 000013
【図１２】
2007173073.tif 000014
【図１３】
2007173073.tif 000015